(57)【特許請求の範囲】
【請求項１】
キャビネットの加熱調理器の脇にスライド自在に設けられた引出であって、
天面が開放された箱状の枠体と、
前記枠体の前面に設けられた前板と、
前記枠体のいずれか一方の側面のみに設けられ、前記前板への押動毎に当該引出の収納固定状態と開放可動状態とを繰り返させるプッシュ式スライドレールと、
を備えることを特徴とする、引出。
【請求項２】
引出は、枠体に着脱自在に収納される１または２以上のコンテナをさらに備えることを特徴とする、請求項１に記載の引出。
【請求項３】
前記枠体に設けられ、前記１または２以上のコンテナの前後方向へのスライドを制限するストッパをさらに備えることを特徴とする、請求項２に記載の引出。
【請求項４】
前記前板は、前記収納固定状態において、周辺のキャビネットの外表面と面一になることを特徴とする、請求項１〜３のいずれかに記載の引出。
【請求項５】
前記前板には、引き手を設けないことを特徴とする、請求項１〜４のいずれかに記載の引出。
【請求項６】
キャビネットに固定され、前記枠体底面を支持しつつ該枠体のスライドを支援するコロを備えることを特徴とする、請求項１〜５のいずれか１項に記載の引出。
【発明の詳細な説明】
【技術分野】
【０００１】
本発明は、キャビネットにスライド自在に設けられた引出に関する。
【背景技術】
【０００２】
食材に用いられる調味料は、調理中であっても手が届く位置に配置されることが望ましい。そこで、従来調味料は、ワークトップ上に設置した棚に収納したり、キッチン用キャビネットに設けられている引出に収納したり、吊戸棚に収納したりするのが一般的であった。
【０００３】
しかし、塩、胡椒等使用する頻度の高い調味料は、使い勝手の関係からコンロ近傍に置かれることが多く、このためキッチンまわりが片付かず、煩雑になりがちであるという問題点があった。
【０００４】
一方、キッチンに配置されるＩＨヒータやガスコンロでなる加熱調理器は、東京都の火災予防条例（非特許文献１）等により壁から１５ｃｍ以上離隔して設置することが定められている。この距離は地方自治体によって異なるが、多少の差はあれ同様の規定を設けている自治体が多い。このような条例によって壁から１５ｃｍ程度横方向に空間が形成されることとなる。上記加熱調理器の脇に形成された空間を有効利用するため、例えば特許文献１には、上記空間に収まるようなコンロ脇引出が設置されている。
【０００５】
このコンロ脇引出は加熱調理器に隣り合う位置にあるため、調理中の取り回しがよい。このため、使用者は上記のコンロ脇引出に調味料入れを収納している。
【０００６】
キッチンで調理する場合、食材に味をつけるための調味料は、ワークトップの上で調理用食材に振りかけられたり、加熱調理器を使用して食材を加熱調理する際に鍋やフライパン等の中にある食材に振りかけられたりする。
【非特許文献１】東京都  火災予防条例インターネットＵＲＬ＜http://www.reiki.metro.tokyo.jp/reiki_menu.html＞
【特許文献１】特開２００６−３２５９２８号公報
【発明の開示】
【発明が解決しようとする課題】
【０００７】
しかし、上記の特許文献１のキッチンのコンロ脇引出にあっては、占有可能な空間が、キッチンと加熱調理器との位置関係によって制限されるため、調味料等の収納能力には限界があった。殊に、近年、家庭でも多国籍料理等さまざまな料理を作るようになってきたため、使用する調味料の種類も増加し、従来のコンロ脇引出ではその収容能力が問題視されるようになってきた。
【０００８】
また、特許文献１のキッチンのコンロ脇引出の前板には、把持部材（引き手）が設けられているため、かかる引き手が他の引出等の外表面から突出することとなる。このような引き手が凸凹感を呈し、キッチンの外観体裁を損ねる問題もある。
【０００９】
そこで本発明は、かかる技術的背景に鑑みて、コンロ脇引出における調味料入れ等の収容能力を向上しつつ、収納固定状態および開放可動状態のいずれの状態においても外観の見栄えが良好で高級感を奏し、出し入れに際して円滑な操作フィーリングを得ることが可能な、引出を提供することを目的とする。
【課題を解決するための手段】
【００１０】
上記課題を解決するために、本発明のある観点によれば、キャビネットの加熱調理器の脇にスライド自在に設けられた引出であって、天面が開放された箱状の枠体と、枠体の前面に設けられた前板と、枠体のいずれか一方の側面のみに設けられ、前板への押動毎に当該引出の収納固定状態と開放可動状態とを繰り返させるプッシュ式スライドレールと、を備えることを特徴とする、引出が提供される。
【００１１】
プッシュ式スライドレールを、引出の両側面に設けるのではなく、いずれか一方の側面にのみ設ける構成により、引出の容積をレールの分だけ従来より大きく確保することができ、その結果、調味料入れ等の収納スペースを増やすことが可能となる。また、プッシュ式スライドレールが静粛性を備えるため、引出の出し入れに際してのプッシュ式スライドレールの作動音が小さく、振動がほとんどないスムーズな操作性能を実現できる。
特に当該引出は、加熱調理器の脇に設置されている。上述したように、加熱調理器をキッチンに設置するとき、その脇には空間が形成される。かかる空間に当該引出を用いることで空間の有効利用を図ることができる。また、かかる空間は、キッチンの壁と加熱調理器との隙間であるという制約があるが、本発明のように側面の一方のみで引出を支持することにより、空間を最大限に有効利用することができる。
【００１２】
引出は、枠体に着脱自在に収納される１または２以上のコンテナをさらに備えてもよい。
【００１３】
コンテナは調味料入れ等を複数収納することができる。従ってコンテナごとに複数の調味料入れ等を出し入れすることが可能となり、調理前後で調味料入れ等を個別に引出から出し入れするといった煩雑な動作を要さず、また、ワークトップが乱雑になることなくキッチンの美観を保つことが可能となる。また、予めコンテナのみをワークトップに出しておくことができるので、調理中に引出を閉めた状態にでき、引出内部へ汚れが付着するのを防ぐことができる。
【００１４】
さらに、引出内部にはコンテナを複数備えることもできるので、調味料入れ等の物品を調理の用途に応じて任意に分類することができ、多くの調味料入れ等の物品から必要な物品を容易かつ迅速に探し出すことが可能となる。
【００１５】
引出は、枠体に設けられ１または２以上のコンテナの前後方向へのスライドを制限するストッパをさらに備えてもよい。
【００１６】
かかるストッパによりコンテナの前後方向へのスライドを防止できるので、引出の出し入れによって調味料等が転倒するのを防止できる。また、コンテナを引出に戻す際に、収納する空間が確保されているので、収納が阻害されることもない。
【００１７】
また、前板は、収納固定状態において、周辺のキャビネットの外表面と面一になるように構成するのがよい。
【００１８】
引出がキャビネットの空間へ収納された収納固定状態でキャビネット周辺の外表面と面一となるので、キャビネット全体の外観体裁、とりわけ加熱調理器周辺の見栄えが向上する。
【００１９】
また、前板には、引き手を設けないようにするとよい。かかる構成により、引出の前板が隣接するキャビネットの外表面と面一になるだけでなく、前板に引き手といった突起物が存在しないので、キャビネットは意匠性に優れた外観体裁を醸し出すことができる。
【００２０】
引出は、キャビネットに固定され、枠体底面を支持しつつ枠体のスライドを支援するコロを備えてもよい。上記プッシュ式スライドレールを片側に設ける構成により収容能力や美観の向上を図り、当該コロによってプッシュ式スライドレールのみにかかる負荷を分散することができる。従って、安定かつスムーズな引出の出し入れが可能となる。
【発明の効果】
【００２２】
本発明によれば、引出の容積を拡大でき、これによりキッチン内部の空間を有効活用できる。また、前板を押すだけの簡単な操作で引出を引き出したり、しまい込んだりすることができるので操作性が向上する。さらに、引出をしまい込んだ場合には、その前板はキッチンの外表面と面一を呈するので、外観の見栄えを向上できるキッチンを実現できるなどの効果を奏する。
【発明を実施するための最良の形態】
【００２３】
本発明にかかる引出の実施形態について、図を用いて説明する。なお、以下の実施形態に示す寸法、材料、その他具体的な数値などは、発明の理解を容易とするための例示に過ぎず、特に断る場合を除き、本発明を限定するものではない。また本明細書及び図面において、実質的に同一の機能構成を有する構成要素については、同一の符号を付することにより重複説明を省略する。
【００２４】
図１は、本発明による引出の実施形態であるコンロ脇引出が格納されるキッチンの外観図であり、図２は、図１のキッチンの斜視図である。キッチン１００はいわゆる対面式のオープンシステムキッチンであり、調理器具を吊るしたり収納棚を設けたりする壁がキッチン使用者の前方になく、とりわけ効率的に調理器具等を収納することが必要とされている。
【００２５】
キッチン１００は、加熱調理器としてのコンロ１１０が設置されているコンロキャビネット１２０と、水栓１３０およびシンク１４０が設置されているシンクキャビネット１５０と、調理スペース１６０が設けられていて食器洗い機等を収容可能なベースキャビネット１７０との３つのキャビネットで構成されている。
【００２６】
また図２に示すとおり、キッチン１００はコンロ１１０、シンク１４０および調理スペース１６０が隣接していて無駄なスペースを極力排した構成となっている。ここで、本発明によるスパイスボックスを形成する引出の実施形態であるコンロ脇引出２００は、コンロ１１０の脇において、キャビネットに対しスライド自在に設けられている。以下、本実施形態にかかるコンロ脇引出２００を詳細に説明する。
【００２７】
図３は、本実施形態のコンロ脇引出２００をシステムキッチン１００に設置されたキャビネットから引き出した状態を左側面および右側面からみた斜視図である。コンロ脇引出２００は、コンロ１１０の両側の空間に設けられ、天面が開放された箱状の枠体３２０と、枠体３２０の前面に設けられた前板３００と、枠体３２０のいずれか一方の側面のみに設けられ、前板３００への押動毎に当該コンロ脇引出２００の収納固定状態と開放可動状態とを繰り返させるプッシュ式スライドレール３１０と、複数のコンテナ４００とを含んで構成される。コンテナ４００は、調味料の小瓶などを収納する用途を想定している。
【００２８】
上記プッシュ式スライドレール３１０としてはそれ自体公知のものを用いることができる。プッシュ式スライドレール３１０は、アウターレール、インナーレール、あるいは本実施形態のように中間レールなどを組み込み、各レール間にボールやコロ状の多数の転動部材を介在させ、各レールが軽快に異音を立てることなく、スムーズにスライドし、伸縮する構造を基本形態とする。
【００２９】
プッシュ式スライドレール３１０を、コンロ脇引出２００の両側面に設けるのではなく、いずれか一方の側面にのみ設ける構成により、引出の容積をレールの分だけ従来より大きく確保することができ、その結果、調味料入れ等の収納スペースを増やすことが可能となる。また、本実施形態では、コロ３４０をキャビネットに固定し、枠体３２０底面を支持させつつ枠体３２０のスライドを支援させている。こうして、プッシュ式スライドレール３１０を片側に設ける構成により収容能力や美観の向上を図り、コロ３４０によってプッシュ式スライドレール３１０のみにかかる負荷を分散することができる。従って、安定かつスムーズな引出の出し入れが可能となる。
【００３０】
また、プッシュ式スライドレール３１０には、ラッチ機構（図示せず）がレールの後端に設けられている。かかるプッシュ式スライドレール３１０は、枠体３２０の左側部とキャビネットの内壁との間に介装される。コンロ脇引出２００は、押し込むことでラッチ機構により拘束されて収納固定状態を維持し、前板３００をもう一度押し込むことでラッチ機構がリリースされて開放可動状態となり、収納状態にあったコンロ脇引出２００が、手前側へ押し出されるように出てくる。かかるプッシュ式スライドレール３１０の取り付け面は、図に示した面に限らず、キッチン使用者の使い勝手や意匠性から任意の側面に配置することが可能である。
【００３１】
ここでは、プッシュ式スライドレール３１０により引出操作（出し入れ操作）を行うので、コンロ脇引出２００の前板３００をプッシュ操作するだけの簡単な操作でコンロ脇引出２００を収納したり、引出たりすることができる。したがって、前板３００に引き手やつまみなどの把持部材を設けなくて済み、キッチンのコンロ脇引出２００の前板３００には突起物がなくなるので、周囲の他の引出面等と面一を成して収納できる。その結果、キッチンの外観に一体感ある美感が得られ、加熱調理を意匠性に優れたキッチンで快適に行うことができる。
【００３２】
また、本実施形態のコンロ脇引出２００では、前板３００と協働して木材によりボックス状のスパイスボックスを形成し、このスパイスボックスの側部にプッシュ式スライドレール３１０を取り付けるようにすることもできる。
【００３３】
上記コンテナ４００は調味料入れ等を複数収納することができる。従ってコンテナ４００ごとに複数の調味料入れ等を出し入れすることが可能となり、調理前後で調味料入れ等を個別に引出から出し入れするといった煩雑な動作を要さず、また、ワークトップが乱雑になることなくキッチンの美観を保つことが可能となる。また、予めコンテナ４００のみをワークトップに出しておくことができるので、調理中に引出を閉めた状態にでき、引出内部へ汚れが付着するのを防ぐことができる。
【００３４】
さらに、引出内部にはコンテナ４００を複数備えることもできるので、調味料入れ等の物品を調理の用途に応じて任意に分類することができ、多くの調味料入れ等の物品から必要な物品を容易かつ迅速に探し出すことが可能となる。
【００３５】
上記枠体３２０は、コンテナ４００を支持できる程度の幅があればよい。本実施形態において枠体３２０は上面に蓋が嵌合された箱状の形状をしているが、底面は必ずしも必要ではなく、例えば、コンテナ４００の底面角部を支持するアングル材であってもよい。また、枠体３２０には、１または２以上のコンテナ４００を着脱自在に収納することができる。
【００３６】
図４は、複数のコンテナ４００を枠体３２０に収納する場合の構造を示した説明図である。ここでは、図４（ａ）に示すような、例えば３つのコンテナ４００が図４（ｂ）のように収納される。収納される個数はこれに限定されないことは言うまでもない。また、図４を参照すると、コンテナ４００の後部上面には、コンテナ４００を収納したときにコンテナ４００の前後方向へのスライドを制限するストッパ３５０が設けられる。かかるストッパ３５０によりコンテナ４００の前後方向へのスライドを防止できるので、引出の出し入れによって調味料等が転倒するのを防止できる。また、コンテナを引出に戻す際に、収納する空間が確保されているので、収納が阻害されることもない。
【００３７】
また、本実施形態のコンテナ４００は樹脂材料で形成されている。これによりコンテナ４００への加工が容易になる。また調味料等をこぼした等コンテナ４００内部が汚染された場合であっても、容易に洗浄・乾燥することができ常に清潔に保つことができる。またコンテナ４００を樹脂で作成することによって、大量生産可能となりコスト面でも優れている。樹脂材料に限定はないが、ハイインパクトポリスチレン（ＨＩＰＳ）、ポリスチレン（ＰＳ）、アクリル樹脂などを好適に用いることができる。
【００３８】
以上、添付図面を参照しながら本発明の好適な実施例について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明は、キッチンなどに備えられるコンロ脇引出として利用可能である。
【図面の簡単な説明】
【００４０】
【図１】本実施形態にかかるコンロ脇引出を含むシステムキッチンの外観図である。
【図２】本実施形態にかかるコンロ脇引出を含むシステムキッチンの調理側面の外観斜視図である。
【図３】本実施形態のコンロ脇引出に係り、（ａ）はキャビネットから引出た状態を左側からみたコンロ脇引出の左方斜視図、（ｂ）は同じく右側からみた右方斜視図である。
【図４】本実施形態の複数のコンテナを枠体に収納する場合の構造を示した説明図である。
【符号の説明】
【００４１】
１００  …キッチン
１１０  …コンロ
２００  …コンロ脇引出
３００  …前板
３１０  …プッシュ式スライドレール
３２０  …枠体
３５０  …ストッパ
４００  …コンテナ
【図１】
0005506144.tif 000002
【図２】
0005506144.tif 000003
【図３】
0005506144.tif 000004
【図４】
0005506144.tif 000005